(57)【要約】電導式輸液注入システムは、情報カード記録側ユニット１０と、情報カード利用側ユニット２０とからなる。情報カード記録側ユニット１０は、患者の病状にもとづいて投薬情報が書き込まれる情報カード１１と、投薬情報を情報カード１１に書き込み／読み出すリーダ／ライタ１２と、リーダ／ライタ１２に投薬情報を入力する入力手段１３とを含む。情報カード１１は、磁気カード、ＩＣカード、光カードのうちから一種選択される。情報カード利用側ユニット２０は、情報カード１１の情報を読み出すリーダ２１と、患者の個人情報を入力する入力手段２２と、リーダ２１からの投薬情報と入力手段２２からの個人情報を受け、投薬信号を発生するコントローラ２３と、コントローラ２３からの信号を受け、機械的信号に変換するトランスデューサ２４と、所定の輸液３１を貯蔵した輸液貯蔵容器３０および患者の体内に輸液を注入する注入器４０とに接続されていてトランスデューサ２４からの作動信号にもとづいて輸液貯蔵容器３０から輸液３１を注入器４０に供給する電動式ＰＣＡポンプ２５とを含む。
2004089445.tif 000002
【特許請求の範囲】
【請求項１】
情報カード記録側ユニットと、情報カード利用側ユニットとからなり、
前記情報カード記録側ユニットは、患者の病状にもとづいて投薬情報が書き込まれる情報カードと、前記投薬情報を前記情報カードに書き込み／読み出すリーダ／ライタと、該リーダ／ライタに投薬情報を入力する入力手段とを含み、
前記情報カード利用側ユニットは、前記情報カードの情報を読み出すリーダと、患者の個人情報を入力する入力手段と、前記リーダからの投薬情報と前記入力手段からの個人情報を受け、投薬信号を発生するコントローラと、該コントローラからの信号を受け、機械的信号に変換するトランスデューサと、所定の輸液を貯蔵した輸液貯蔵容器および患者の体内に輸液を注入する注入器とに接続されていて前記トランスデューサからの作動信号にもとづいて前記輸液貯蔵容器から輸液を前記注入器に供給するＰＣＡポンプとを含む、
輸液注入システム。
【請求項２】
前記情報カードは、磁気カード、ＩＣカード、光カードのうちから一種選択される、輸液注入システム。
【発明の詳細な説明】
【技術分野】  本発明は、電動式輸液注入システムに関し、さらに詳しく言えば、電動式ＰＣＡ（ｐａｔｉｅｎｔ−ｃｏｎｔｒｏｌｌｅｄ  ａｎａｌｇｅｓｉａ：患者管理鎮痛）ポンプを用いた電動式輸液注入システムに関する。
【背景技術】  術後疼痛管理、ペインクリニック、救急治療等の領域においては、非電動式の持続注入器または電動式ＰＣＡポンプによって、輸液を患者の体内に注入している。この輸液には、鎮痛剤、抗ガン剤、栄養剤、生理食塩水等が含まれる。電動式ＰＣＡポンプは、国産品、外国製品等種々雑多である。外国製品は、比較的高価であり、操作性、ディスプレ表示に難点がある。国産品は比較的安価であり、操作性、ディスプレ表示は概ね良好であるが、製造メーカ独自の規格にもとづいて製造しているので、製品規格の統一性に欠ける。
電動式ＰＣＡポンプに入力する情報としては、輸液の種類、注入量、注入時間、注入流量等を含む。機種の変更、投薬カルテルの変更、取扱者の変更等に伴い人為的ミスも発生することもある。
【発明の開示】
そこで、本発明の目的は、製造メーカ独自の規格に関係なく、取扱者の人為的ミスをなくした電動式輸液注入システムを提供することにある。
本発明の電導式輸液注入システムは、情報カード記録側ユニットと、情報カード利用側ユニットとからなる。情報カード記録側ユニットは、患者の病状にもとづいて投薬情報が書き込まれる情報カードと、投薬情報を情報カードに書き込み／読み出すリーダ／ライタと、リーダ／ライタに投薬情報を入力する入力手段とを含む。情報カードは、磁気カード、ＩＣカード、光カードのうちから一種選択される。
情報カード利用側ユニットは、情報カードの情報を読み出すリーダと、患者の個人情報を入力する入力手段と、リーダからの投薬情報と入力手段からの個人情報を受けて投薬信号を発生するコントローラと、コントローラからの信号を受けて機械的信号に変換するトランスデューサと、所定の輸液を貯蔵した輸液貯蔵容器および患者の体内に輸液を注入する注入器とに接続されていてトランスデューサからの作動信号にもとづいて輸液貯蔵容器から輸液を注入器に供給する電動式ＰＣＡポンプとを含む。
【図面の簡単な説明】  図１は、本発明の輸液注入システムの概略構成説明図である。
図２は、本発明の輸液注入システムの使用例を示す概略説明図である。
図３は、本発明の輸液注入システムにおける情報カード記録側ユニットの概略構成線図である。
図４は、本発明の輸液注入システムにおける情報カード利用側ユニットの概略構成線図である。
図５は、本発明の輸液注入システムにおける情報カード記録側ユニットの動作を示すフローチャートである。
図６は、本発明の輸液注入システムにおける情報カード利用側ユニットの動作を示すフローチャートである。
【発明を実施するための最良の形態】  図面を参照して、本発明の電導式輸液注入システムの最適実施例について説明する。
図１に示すように、本発明の電動式輸液注入システムは、情報カード記録側ユニット１０と、情報カード利用側ユニット２０とからなる。
情報カード記録側ユニット１０は、図１および図３に示すように、患者の病状にもとづいて投薬情報が書き込まれる情報カード１１と、投薬情報を情報カード１１に書き込み／読み出すリーダ／ライタ（Ｒ／Ｗ）１２と、リーダ／ライタ１２に投薬情報を入力する入力手段１３とを含む。情報カード１１は、慣用の磁気カード、ＩＣカード、光カードのうちから一種選択される。入力手段１３は、慣用のパーソナル・コンピュータ（ＰＣ）でもよい。本実施例においては、説明の便宜上、ＩＣカードを情報カード１１に用いた場合について説明する。
ＩＣカード（情報カード）１１は、図３に示すように、ＣＰＵ、コプロセッサ、メモリ、Ｉ／Ｏ  ｐｏｒｔ、ＲＦ（無線）インタフェース、非接触インタフェースを含む。リーダ／ライタ（Ｒ／Ｗ）１２は、図３に示すように、非接触インタフェース、インタフェース回路を含む。ＩＣカード１１とリーダ／ライタ１２との間は電波によって送受信される。
情報カード利用側ユニット２０は、図１および図４に示すように、ＩＣカード（情報カード）１１の情報を読み出すリーダ（Ｒ）２１と、患者の個人情報を入力する入力手段２２と、リーダ２１からの投薬情報と入力手段２２からの個人情報を受けて投薬信号を発生するコントローラ２３と、コントローラ２３からの信号を受けて機械的信号に変換するトランスデューサ２４と、所定の輸液３１を貯蔵した輸液貯蔵容器３０および患者５０（図２）の体内に輸液を注入する注入器４０とに接続されていてトランスデューサ２４からの作動信号にもとづいて輸液貯蔵容器３０から輸液３１を注入器４０に供給する電動式ＰＣＡポンプ２５とを含む。
リーダ（Ｒ）２１は、図１および図４に示すように、非接触インタフェース、インタフェース回路を含む。ＩＣカード１１からリーダ２１へは電波によって情報が送信される。入力手段２２は、図示例ではテンキーであるが、慣用のＰＣでもよい。コントローラ２３はマイクロプロセッサを含む。トランスデューサ２４、電動式ＰＣＡポンプ２５は慣用のものである。
図５に示すフローチャートを参照して、本発明の輸液注入システムにおける情報カード記録側ユニット１０の動作を説明する。
まず、情報カード記録側ユニット１０を始動する（ステップＡ１）。次に、情報カード（ＩＣカード）１１をリーダ／ライタ（Ｗ／Ｒ）１２に設置する（ステップＡ２）。患者の病状にもとづいてつくられた医師の処方（例えば、輸液の種類、注入量、注入時間、流速等）をリーダ／ライタ１２に入力手段（ＰＣ）１３によって入力する（ステップＡ３）。ステップＡ３において、患者の個人情報（例えば、患者のパスワード、姓名、生年月日等）も入力する。入力が正しいか否かを判定する（ステップＡ４）。正しくない場合には、ステップＡ３に戻って再度医師の処方を入力し直す。入力が正しい場合には、その入力をリーダ／ライタ（Ｒ／Ｗ）１２に書き込む（ステップＡ５）。情報カード（ＩＣカード）１１をリーダ／ライタ（Ｒ／Ｗ）１２から取り出す（ステップＡ６）。最後に、ユニット１０を停止する（ステップＡ７）。
次に、図６に示すフローチャートを参照して、本発明の輸液注入システムにおける情報カード利用側ユニット２０の動作を説明する。
まず、情報カード利用側ユニット２０を始動する（ステップＢ１）。次に、情報カード（ＩＣカード）１１をリーダ（Ｒ）２１に設置する（ステップＢ２）。患者のパスワードを入力する（ステップＢ３）。情報カード（ＩＣカード）１１から設定パスワード情報（個人情報）を読み出す（ステップＢ４）。設定個人情報から患者本人であるか否かを確認する（ステップＢ５）。患者本人ではないことが確認された場合には、終了する（ステップＢ１０）。患者本人であることが確認された場合には、リーダ２１によって、ＩＣカード１１から患者の処方情報を読み出す（ステップＢ６）。所定の輸液貯蔵容器３０および注入器４０を準備する（ステップＢ７）。輸液注入開始ボタンをオンにする（ステップＢ８）。次いで、注入器４０から輸液３１が排出され、気泡が除去された後、注入器４０を患者５０に取り付け、輸液３１の注入を続行する。所定量の輸液３１が患者に注入された後、輸液注入を停止する（ステップＢ９）。最後に、ユニット２０を停止する（ステップＢ１０）。
図２は、本発明の輸液注入システムの使用例を示す概略説明図である。情報カード（ＩＣカード）１１が情報カード利用側ユニット２０のリーダ２１に設置され、輸液貯蔵容器３０および注入器４０がユニット２０の電動式ＰＣＡポンプ２５（図４）に導管３２、４１をかいして接続される。注入器４０が患者５０の所定部位（図示例では、左腕）に接続され、輸液持続注入が継続される。
情報カード（ＩＣカード）１１は、患者が携帯してもよいが、情報カード利用側ユニット２０内に密閉固定してもよい。
【産業上の利用可能性】  本発明の電動式輸液注入システムは、医療機関、救急施設、介護機関、家庭等に広く利用できる。
【図１】
2004089445.tif 000003
【図２】
2004089445.tif 000004
【図３】
2004089445.tif 000005
【図４】
2004089445.tif 000006
【図５】
2004089445.tif 000007
【図６】
2004089445.tif 000008
【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】情報カード記録側ユニットと、情報カード利用側ユニットとからなり、
前記情報カード記録側ユニットは、患者の病状にもとづいて投薬情報が書き込まれる情報カードと、前記投薬情報を前記情報カードに書き込み／読み出すリーダ／ライタと、該リーダ／ライタに投薬情報を入力する入力手段とを含み、
前記情報カード利用側ユニットは、前記情報カードの情報を読み出すリーダと、患者の個人情報を入力する入力手段と、前記リーダからの投薬情報と前記入力手段からの個人情報を受け、投薬信号を発生するコントローラと、該コントローラからの信号を受け、機械的信号に変換するトランスデューサと、所定の輸液を貯蔵した輸液貯蔵容器および患者の体内に輸液を注入する注入器とに接続されていて前記トランスデューサからの作動信号にもとづいて前記輸液貯蔵容器から輸液を前記注入器に供給するＰＣＡポンプとを含む、
輸液注入システム。
【請求項２】前記情報カードは、磁気カード、ＩＣカード、光カードのうちから一種選択される、請求項１に記載の輸液注入システム。
【手続補正２】
【補正対象書類名】図面
【補正対象項目名】図２
【補正方法】変更
【補正の内容】
【図２】
2004089445.tif 000009
【手続補正３】
【補正対象書類名】図面
【補正対象項目名】図５
【補正方法】変更
【補正の内容】
【図５】
2004089445.tif 000010
【国際調査報告】
2004089445.tif 000011
2004089445.tif 000012
2004089445.tif 000013
2004089445.tif 000014